(57)【要約】【課題】室温センサで検出された室内温度とメモリに記憶された設定温度とを比較し、圧縮機の運転を制御しているため、予めメモリに設定温度が暖房時は高めに、冷房時には低めに設定されれば、省エネ運転にならなかった。【解決手段】遠隔制御装置内に設けられた室温監視モニターで、複数の室内機の室温を遠隔から監視することができるので、設定温度を適正な温度に設定できるので、過剰な温度設定を防ぐことができ、ビル全体の無駄な消費電力を削減することができる。【選択図】図１
2010121812.tif 000002
【特許請求の範囲】
【請求項１】
複数の室内機と室外機を遠隔で制御する遠隔制御装置と、複数の室内機を室温センサーにより室温を監視する前記遠隔制御装置内に設けた室温監視モニターと、複数の室内機の設定温度を設定する設定温度設定手段と、前記設定温度設定手段により設定温度を設定し室内機から設定温度を設定できないようにする省エネ設定手段と、複数の室内機と室外機を制御し通信信号を送受信する制御手段と、前記遠隔制御装置と室内機と室外機とを接続する通信線とを備え、複数の室内機の室温を監視しながら、設定温度設定手段により設定温度を設定し、省エネ設定手段で省エネ設定を室内機に送信することで、室内機から個別に設定温度を変更することができず、エアコン管理者が室温を監視しながら設定温度を設定することができることを特徴とする空気調和機の遠隔制御システム。
【請求項２】
空気調和機の遠隔制御システムの室内機に、省エネ管理中であることを表示する表示部を備えたことを特徴とする請求項１に記載の空気調和機の遠隔制御システム。
【請求項３】
空気調和機の遠隔制御システムの室内機に、警告音を出すブザーを備えたことを特徴とする請求項１に記載の空気調和機の遠隔制御システム。
【発明の詳細な説明】
【技術分野】
【０００１】
本発明は、空気調和機の省エネ設定をする遠隔制御システムに関する。
【背景技術】
【０００２】
従来、空気調和機の設定温度を切換えて運転する機能を有する空気調和機には、本体操作部またはリモコン等の設定入力手段により、室内の設定温度、冷房運転または暖房運転とその運転モード、室内側送風機の風量モード、タイマモード等の設定入力条件が入力されメモリに記憶され、室温センサにより検出された室内温度とメモリに記憶された設定温度とを比較手段により比較し、運転を制御していた。（例えば、特許文献１参照）
図４は、特許文献１に記載された従来の設置状態を示すものである。図４に示すように、制御部マイコン１０１、設定入力手段１０２、室温センサ１０３、セーブ運転スイッチ１０４、圧縮機１０５、メモリ１０６、比較手段１０７、運転条件設定手段１０８とから構成されている。
【特許文献１】特開平６−２９４５３５号公報
【発明の開示】
【発明が解決しようとする課題】
【０００３】
しかしながら、前記従来の構成では、室内機の設定入力手段よりセーブ運転スイッチをセットすることにより室温センサで検出された室内温度とメモリに記憶された設定温度とを比較し、圧縮機の運転を制御しているため、室内機から個別に予めメモリに設定温度が暖房時は高めに、冷房時には低めに設定されれば、省エネ運転にならないという課題を有していた。
【０００４】
本発明は、前記従来の課題を解決するもので、複数の室内機と室外機のシステムで遠隔から制御する場合、遠隔から空気調和機を管理するビル管理者が、複数の室内機の室温を監視しながら設定温度を管理することができ、ユーザーが個別に設定温度を設定することを防ぎ、省エネ管理することができる空気調和機の遠隔制御システムを提供することを目的とする。
【課題を解決するための手段】
【０００５】
前記従来の課題を解決するために、本発明の空気調和機の遠隔制御システムは、遠隔制御装置内に設けられた室温監視モニターにより、複数の室内機の室温を監視しながら、設定温度設定手段により設定温度を設定し、省エネ設定手段で省エネ設定を室内機に送信することで、室内機から個別に設定温度を変更することができず、エアコン管理者が室温を監視しながら設定温度を設定することができる。
【０００６】
これによって、空気調和機の遠隔制御を行うビル管理者が、エアコンシステムの省エネ運転をすることができ、ビル全体の消費電力を削減することができる。
【発明の効果】
【０００７】
本発明の空気調和機の遠隔制御システムは、複数の室内機と室外機のシステムで遠隔から制御する場合、遠隔から空気調和機を管理するビル管理者が、室内の室温を監視することができ、設定温度を適正な温度に設定できるので、過剰な温度設定を防ぐことができ、ビル全体の無駄な消費電力を削減することができる。
【発明を実施するための最良の形態】
【０００８】
第１の発明は、複数の室内機と室外機を遠隔で制御する遠隔制御装置と、複数の室内機
の室温センサーにより室温を監視する前記遠隔制御装置内に設けた室温監視モニターと、複数の室内機の設定温度を設定する設定温度設定手段と、前記設定温度設定手段により、設定温度を設定し、室内機から設定温度を設定できないようにする省エネ設定手段と、複数の室内機と室外機を制御し、通信信号を送受信する制御手段と、前記遠隔制御装置と室内機と室外機とを接続する通信線とから構成される空気調和機の遠隔制御システムとすることにより、管理者が遠隔で複数の室内の室温を監視し、設定温度を適正な温度に設定できるので、室内機個別からの過剰な温度設定を防ぎ、ビル全体の無駄な消費電力を削減することができる。
【０００９】
第２の発明は、特に第１の発明の遠隔制御システムの室内機に、表示部を備えたことにより、省エネ設定中であることを表示することができる。
【００１０】
第３の発明は、特に第１の発明の遠隔制御システムの室内機に、警告音を出すブザーを備えたことにより、管理者が設定した設定温度に対しユーザーが設定する設定温度が超えると、ブザーで警告音を発することができる。
【００１１】
（実施の形態１）
図１は、本発明の実施の形態１における空気調和機の遠隔制御システムの構成ブロック図である。同図の空気調和機の遠隔制御装置のシステムにおいて、複数の室内機と室外機を遠隔で制御する遠隔制御装置と、複数の室内機を室温センサーにより室温を監視する遠隔制御装置内に設けた室温監視モニターと、複数の室内機の設定温度を設定する設定温度設定手段と、設定温度設定手段により、設定温度を設定し、室内機から設定温度を設定できないようにする省エネ設定手段と、複数の室内機と室外機を制御し、通信信号を送受信する制御手段と、遠隔制御装置と室内機と室外機とを接続する通信線とから構成されている。
【００１２】
以上のように構成された空気調和機の遠隔制御システムついて、以下その動作、作用を説明する。
【００１３】
まず、室内機７ａ、室内機７ｂの室温を室温センサー９で検知し制御部８に入力され、通信線６を介して室温データを遠隔制御装置１内に搭載された制御部５に送信され、制御部５が室温データを受信すると、室温監視モニター２に室温データを送信し、室温監視モニター２で複数の室内機の室温を監視し、室温に応じて設定温度設定手段３で設定温度を設定し、省エネ設定手段４で省エネ設定にすると、室内機７ａ、室内機７ｂの設定温度を調整するリモコン１０からの設定温度の設定を受け付けないようにする。
【００１４】
以上のように、遠隔制御装置１内に搭載された室温監視モニター２で、複数の室内機の室温を監視し、室温に応じて設定温度設定手段３で設定温度を設定し、省エネ設定手段４で省エネ設定にすると、ユーザー側のリモコン１０からの設定温度の設定を受け付けないので、過剰な温度設定を防ぐことができ、管理者が適正な温度に設定することができ、ビル全体の無駄な消費電力を削減することができるものである。
【００１５】
（実施の形態２）
図２は、本発明の第２の実施の形態の空気調和機の遠隔制御装置の構成ブロック図である。本発明の第１の実施の形態で示した空気調和機の遠隔制御システムの室内機７ａ、室内機７ｂに、省エネ管理中であることを表示する表示部１３を構成した空気調和機の遠隔制御システムである。
【００１６】
以上のように構成された空気調和機の遠隔制御システムについて、以下その動作、作用を説明する。
【００１７】
まず、室内機７ａ、室内機７ｂの室温を室温センサー９で検知し制御部８に入力され、通信線６を介して室温データを遠隔制御装置１内に搭載された制御部５に送信され、制御部５が室温データを受信すると、室温監視モニター２に室温データを送信し、室温監視モニター２で複数の室内機の室温を監視し、室温に応じて設定温度設定手段３で設定温度を設定し、省エネ設定手段４で省エネ設定にすると、室内機７ａ、室内機７ｂの設定温度を調整するリモコン１０からの設定温度の設定をすると、省エネ設定中である表示をする。
【００１８】
以上のように、ユーザー側から操作する室内機７ａ、室内機７ｂの設定温度を調整するリモコン１０からの設定温度の設定をすると、省エネ設定中である表示をするので、ユーザー側も省エネ設定であることを把握できる。
【００１９】
（実施の形態３）
図３は、本発明の第３の実施の形態の空気調和機の遠隔制御装置の構成ブロック図である。本発明の第１の実施の形態で示した空気調和機の遠隔制御システムの室内機７ａ、室内機７ｂに、音で省エネ管理中であることを把握させることができるブザー１４を構成した空気調和機の遠隔制御システムである。
【００２０】
以上のように構成された空気調和機の遠隔制御システムについて、以下その動作、作用を説明する。
【００２１】
まず、室内機７ａ、室内機７ｂの室温を室温センサー９で検知し制御部８に入力され、通信線６を介して室温データを遠隔制御装置１内に搭載された制御部５に送信され、制御部５が室温データを受信すると、室温監視モニター２に室温データを送信し、室温監視モニター２で複数の室内機の室温を監視し、室温に応じて設定温度設定手段３で設定温度を設定し、省エネ設定手段４で省エネ設定にすると、室内機７ａ、室内機７ｂの設定温度を調整するリモコン１０からの設定温度の設定をすると、音で省エネ設定中であることを把握させることができる。
【００２２】
以上のようにブザー１４を備えたことにより、聴覚による省エネ運転であることが把握でき、高齢者や視覚障害者にも省エネ運転であることを認識させることができる。
【産業上の利用可能性】
【００２３】
以上のように、本発明は、複数の室内機と室外機のシステムで遠隔から制御する場合、遠隔から空気調和機を管理するビル管理者が遠隔制御装置から、適正な温度管理ができるので、遠隔制御機器を用いたマルチ型エアコンのシステムに適する。
【図面の簡単な説明】
【００２４】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】従来の空気調和機におけるブロック図
【符号の説明】
【００２５】
１  遠隔制御装置
２  室温監視モニター
３  設定温度設定手段
４  省エネ設定手段
５  制御部
６  通信線
７  室内機ａ
７  室内機ｂ
８  制御部
９  室温センサー
１０  リモコン
１１  室外機
１２  制御部
１３  表示部
１４  ブザー
１０１  制御部マイコン
１０２  設定入力手段
１０３  室温センサ
１０４  セーブ運転スイッチ
１０５  圧縮機
１０６  メモリ
１０７  比較手段
１０８  運転条件設定手段
【図１】
2010121812.tif 000003
【図２】
2010121812.tif 000004
【図３】
2010121812.tif 000005
【図４】
2010121812.tif 000006